(57)【要約】【課題】  一定の時間帯はオートドアのロックが解除されるよう設定された場合でも、セキュリティ性を持たせることができる集合住宅インターホンシステムを提供する。【解決手段】  オートドア５の前の来訪者を検知する人感センサ６、来訪者の顔を撮像する来訪者判別用カメラ７を備え、監視カメラ７の撮像映像を保存する録画メモリを制御機４に設けた。制御機４は、予め定められた時間帯において人感センサ６が来訪者を検知したら来訪者判別用カメラ７を起動して来訪者の顔を撮像させて映像を録画メモリに保存し、顔映像の録画を確認してオートドア５のロックを解除制御し、管理室親機３に閲覧ボタン２９を設けて、録画映像を閲覧可能とした。【選択図】  図１
2008208656.tif 000002
【特許請求の範囲】
【請求項１】
来訪者が居住者を呼び出して通話を行うための集合玄関機と、前記集合玄関機からの呼び出しに居住者が応答して前記来訪者と通話を行うための居室親機と、前記集合玄関機、前記居室親機をそれぞれ制御する制御機と、来訪者及び居住者が集合住宅を出入りするためのオートドアとから構成される集合住宅インターホンシステムにおいて、
前記オートドア前の来訪者を検知する人物検知手段と、
前記来訪者を撮像するための監視カメラと、
前記監視カメラの撮像映像を保存する映像保存手段と、
前記監視カメラを制御すると共に前記オートドアのロック／非ロックを制御する映像・電気錠制御手段とを有し、
前記映像・電気錠制御手段は、予め定められた時間帯においてのみ、前記人物検知手段が来訪者を検知したら前記監視カメラを起動して撮像映像を前記映像保存手段に保存制御した後、前記オートドアのロックを解除することを特徴とする集合住宅インターホンシステム。
【請求項２】
前記撮像映像に人物が撮像されているかを判断する人識別手段を備え、
前記映像・電気錠制御手段は、前記撮像映像に人物が撮像されている場合に前記映像保存手段に撮像映像を保存すると共に、前記オートドアのロックを解除することを特徴とする請求項１記載の集合住宅インターホンシステム。
【請求項３】
前記人識別手段は人物の顔を識別して人物が撮像されているか判断し、顔が撮像されたと判断したら、前記映像・電気錠制御手段は前記映像保存手段に撮像映像を保存すると共に、前記オートドアのロックを解除することを特徴とする請求項２記載の集合住宅インターホンシステム。
【請求項４】
管理室に設置されて前記居室親機と通話可能な管理室親機を備え、
前記映像・電気錠制御手段は、撮像を開始してから所定時間内に前記監視カメラでの撮像映像から人物が識別できない場合は、前記管理室親機に来訪者確認を促す通知信号を送信することを特徴とする請求項２又は３記載の集合住宅インターホンシステム。
【請求項５】
前記居室親機のうちの何れか、或いは管理室親機が接続されている場合は、管理室親機を含めた何れかにおいて、前記映像保存手段に保存された映像の閲覧を可能とする来訪者閲覧操作手段を備えてなることを特徴とする請求項１乃至４の何れかに記載の集合住宅インターホンシステム。
【請求項６】
前記映像保存手段に保存された映像の閲覧が成されたら、その日時及び閲覧した機器の情報を各居室親機へ通知する通知制御手段を有することを特徴とする請求項５記載の集合住宅インターホンシステム。
【請求項７】
前記来訪者閲覧操作手段を能動とするための閲覧者認証手段を有し、閲覧者は所定のＩＤ情報を入力することで閲覧が可能となることを特徴とする請求項５又は６記載の集合住宅インターホンシステム。
【発明の詳細な説明】
【技術分野】
【０００１】
本発明は集合住宅インターホンシステムに関し、特に一定の時間帯はエントランスにあるオートドアのロックを施錠制御しない集合住宅インターホンシステムに関する。
【背景技術】
【０００２】
オートドアを備えた集合住宅インターホンシステムでは、オートドアは通常施錠状態（ロック状態）にあり、来訪者はエントランス等に設置された集合玄関機により居住者を呼び出して、応答した居住者によりオートドアのロックを解除してもらうことで訪問が可能となっている。このようなシステムにおいては、朝の新聞配達等の訪問者が集中する特定の時間帯は、訪問者の利便性を考慮してオートドアをロックしないよう構成されたものがあった（例えば、特許文献１参照）。
【特許文献１】特開２０００−８６６７号公報
【発明の開示】
【発明が解決しようとする課題】
【０００３】
しかしながら、上記特定の時間帯は施錠しない制御を行う従来の集合住宅インターホンシステムは、訪問者に対しては利便性を向上させることができたが、誰でも集合住宅内に侵入することができてしまうため、せっかくあるオートドアロックによるセキュリティ性が意味のないものとなっていた。
そこで、本発明はこのような問題点に鑑み、一定の時間帯はオートドアのロックが解除されるよう設定された場合でも、セキュリティ性を持たせることができる集合住宅インターホンシステムを提供することを目的としている。
【課題を解決するための手段】
【０００４】
上記課題を解決する為に、請求項１の発明は、来訪者が居住者を呼び出して通話を行うための集合玄関機と、集合玄関機からの呼び出しに居住者が応答して来訪者と通話を行うための居室親機と、集合玄関機、居室親機をそれぞれ制御する制御機と、来訪者及び居住者が集合住宅を出入りするためのオートドアとから構成される集合住宅インターホンシステムにおいて、オートドア前の来訪者を検知する人物検知手段と、来訪者を撮像するための監視カメラと、監視カメラの撮像映像を保存する映像保存手段と、監視カメラを制御すると共にオートドアのロック／非ロックを制御する映像・電気錠制御手段とを有し、映像・電気錠制御手段は、予め定められた時間帯においてのみ、人物検知手段が来訪者を検知したら監視カメラを起動して撮像映像を映像保存手段に保存制御した後、オートドアのロックを解除することを特徴とする。
この構成によれば、特定の時間帯には居住者を呼び出すことなく来訪者がオートドアから集合住宅内に入ることができるよう設定しても、来訪者は録画されるので後から来訪者をチェックすることが可能となる。よって、来訪者に対して利便性を維持したままセキュリティ性を持たせることができる。
【０００５】
請求項２の発明は、請求項１に記載の発明において、撮像映像に人物が撮像されているかを判断する人識別手段を備え、映像・電気錠制御手段は、撮像映像に人物が撮像されている場合に映像保存手段に撮像映像を保存すると共に、オートドアのロックを解除することを特徴とする。
この構成によれば、人物が録画された場合のみオートドアのロックを解除するので、録画映像に来訪者のもれが無く、後に来訪者のチェックがし易い。
【０００６】
請求項３の発明は、請求項２記載の発明において、人識別手段は人物の顔を識別して人物が撮像されているか判断し、顔が撮像されたと判断したら、映像・電気錠制御手段は映像保存手段に撮像映像を保存すると共に、オートドアのロックを解除することを特徴とする。
この構成によれば、人物の顔が撮像されるので、来訪者を確実に判別することが可能となる。
【０００７】
請求項４の発明は、請求項２又は３に記載の発明において、管理室に設置されて居室親機と通話可能な管理室親機を備え、映像・電気錠制御手段は、撮像を開始してから所定時間内に監視カメラでの撮像映像から人物が識別できない場合は、管理室親機に来訪者確認を促す通知信号を送信することを特徴とする。
この構成によれば、来訪者がいるにも拘わらず来訪者を録画できない場合は管理人が呼び出されるので、来訪者が集合住宅内に入るのに手間取るようなことがない。
【０００８】
請求項５の発明は、請求項１乃至４の何れかに記載の発明において、居室親機のうちの何れか、或いは管理室親機が接続されている場合は、管理室親機を含めた何れかにおいて、映像保存手段に保存された映像の閲覧を可能とする来訪者閲覧操作手段を備えてなることを特徴とする。
この構成によれば、特定の時間帯に訪問した人の録画映像を管理人などが確認することができるので、集合住宅内で不審者による犯罪などの問題が生じた場合等、人物の特定に対応できる。また、閲覧できる機器を限定することで、プライバシーの保護を図ることができる。
【０００９】
請求項６の発明は、請求項５に記載の発明において、映像保存手段に保存された映像の閲覧が成されたら、その日時及び閲覧した機器の情報を各居室親機へ通知する通知制御手段を有することを特徴とする。
この構成によれば、閲覧した日時を各居室親機に通知するので、管理人などがむやみに確認しないように監視することができ、プライバシーを保護できる。
【００１０】
請求項７の発明は、請求項５又は６に項記載の発明において、訪者閲覧操作手段を能動とするための閲覧者認証手段を有し、閲覧者は所定のＩＤ情報を入力することで閲覧が可能となることを特徴とする。
この構成によれば、管理人や管理組合の会長等認証された特定の人のみしか閲覧できないように設定できるので、プライバシーの保護を図ることができる。
【発明の効果】
【００１１】
本発明によれば、特定の時間帯に居住者を呼び出すことなく来訪者がオートドアから集合住宅内に入ることができるよう設定しても、来訪者は録画されるので後から来訪者をチェックできる。よって、来訪者に対して利便性を維持したままセキュリティ性を持たせることができる。
【発明を実施するための最良の形態】
【００１２】
以下、本発明を具体化した実施の形態を、図面を参照して説明する。図１は、本発明の集合住宅インターホンシステムの構成を示し、１は来訪者が居住者を呼び出して通話を行うための集合玄関機、２は集合玄関機１からの呼び出しを確認した居住者が応答して来訪者と通話を行うための居室親機、３は管理室に設置されて管理者が居住者等と通話するための管理室親機、４は集合玄関機１、居室親機２、管理室親機３の間の呼び出し及び通信を制御する制御機、５は来訪者または居住者が集合住宅内を出入りするためのオートドア、６は制御機４に接続されてオートドア５を通過する人数を検出するための人感センサ（人物検知手段）、７はオートドア５の前の来訪者を撮像するための来訪者判別用カメラ（監視カメラ）である。尚、８は集合玄関を示している。
【００１３】
集合玄関機１は図２の回路ブロック図に示すように構成され、来訪者を撮像するためのカメラ１１、撮像した映像信号の変調処理等行う映像処理部１２、居室番号等を入力するテンキー１３、呼出ボタン１４、マイク及びスピーカを備えた通話部１５と、制御機２やオートドア５と接続するための集合玄関機インターフェース（集合玄関機ＩＦ）１７、来訪者判別用カメラ７で撮像された映像に顔が写っているか判別する顔識別部１８、集合玄関機１の各回路を制御するＣＰＵ（以下、集合玄関機ＣＰＵとする）１９等を有している。尚、顔識別部１８は、集合玄関機ＣＰＵ１９に含まれる。
【００１４】
居室親機２は図３の回路ブロック図に示すように構成され、カメラ１１の撮像映像を出画するモニタ２１、伝送されてきた映像信号を復調等する映像処理部２２、各種操作をするタッチパネルから成る操作部２３、呼び出しに対して応答する通話ボタン２４、マイク及びスピーカを備えた通話部２５、居室親機２の各回路を制御するＣＰＵ（以下、居室親機ＣＰＵとする）２６と、制御機４と接続するための居室親機インターフェース（居室親機ＩＦ）２７、オートドアのロックを解除する解錠ボタン２８等を備えている。尚、管理室親機３もこの居室親機２と同様の回路構成であるため説明を省略し、以下各構成要素は同一の符号を用いて説明する。
【００１５】
制御機４は図４の回路ブロック図に示すように構成され、来訪者判別用カメラ７、人感センサ６、集合玄関機１を接続するための第１インターフェース（第１ＩＦ）３１、居室親機２や管理室親機３を接続するための第２インターフェース（第２ＩＦ）３２、通話路・映像路を形成するための通話／映像路形成部３３、来訪者判別用カメラ７の撮像映像を保存する録画メモリ３４、制御機４の各回路を制御するＣＰＵ（以下、制御機ＣＰＵとする）３５、オートドア５の時間帯設定情報等を記憶する設定情報記憶部３６等を有している。
【００１６】
このように構成された集合住宅インターホンシステムの動作は以下のようである。最初に、インターホンの基本動作である呼出通話を簡単に説明する。まず、来訪者が居住者を呼び出すために集合玄関機１のテンキー１３を操作して部屋番号を入力し、続けて呼出ボタン１４を押下すると、呼出信号が選択された居室親機２へ送信され、呼出音が居室親機２の通話部２５のスピーカから出力される。また、呼出操作により集合玄関機１のカメラ１１が撮像を開始し、撮像した来訪者の映像が、同様の経路をたどり居室親機２のモニタ２１にて出画される。そして、これを確認した居住者が居室親機２の通話ボタン２４の操作などにより来訪者との通話が可能となり、居住者はモニタ２１により来訪者を確認しながら通話を実施できる。
【００１７】
更に、この状態で解錠ボタン２８が操作されると、居室親機ＣＰＵ２６が制御機４に解錠信号を出力する。制御機４はこの解錠信号を受けて集合玄関機１を介してオートドア５に解錠制御信号を送信し、オートドア５はそのロックが解除される。こうしてロックが解除されたオートドアは来訪者が近づくことで開動作し、来訪者は集合住宅内部に入ることが可能となる。その後、オートドア５は自動でロックされる。
【００１８】
次に、予め定められた所定の時間帯、例えば出勤時間帯や新聞配達時間帯である５時から８時の時間帯に来訪者がある場合の動作について説明する。この時間帯では、居室親機２や管理室親機３からの解錠操作によらず、人感センサ６の来訪者検知を受けてオートドアのロックが解除されるよう制御される。尚、この所定の時間帯の設定は、管理室親機３や制御機４に設定用のパーソナルコンピュータを接続することで設定でき、設定データは制御機４の設定情報記憶部３６に記憶され、この情報を基に制御機ＣＰＵ３５がオートドア５を時間帯により異なる制御を行う。
【００１９】
具体的に、来訪者である例えば新聞配達員が集合集宅の集合玄関８に入り、オートドア５の前に立つと、人感センサ６が作動し、制御機ＣＰＵ３５の制御により来訪者判別用カメラ７が起動する。ここで撮像された映像が制御機４を介して集合玄関機１に伝送される。集合玄関機１では、顔識別部１８により伝送された撮像映像が解析され、顔映像の有無が判別される。この判別の結果、顔が写っている場合には制御機４に録画信号を送信する。この録画信号を受けて制御機ＣＰＵ３５は、撮像映像を録画メモリ３４に録画し、オートドア５のロックを解除する。こうして、新聞配達員は集合住宅内に入ることができる。
【００２０】
但し、顔識別部１８で顔が映っていない或いは判別できないと判断した場合には、録画不可信号が送信され、制御機ＣＰＵ３５は録画不可信号を受けたら再度来訪者判別用カメラ７による新たな撮像映像を顔識別部１８に伝送する。こうして、顔が判別できるまで撮像を続ける（所定時間まで続ける）。そして、この制御が例えば所定時間（例えば６０秒）継続されたなら、集合玄関機１は制御機４に来訪者の確認を促すための通知信号を送信し、制御機４の制御によって管理室親機３が呼び出される。呼び出しを受けた管理人が管理室親機３から応答することで、集合玄関機１の通話部１５と通話路が形成されて来訪者と通話が可能となり、その後管理人の操作でオートドア５のロックの解除等が成される。
【００２１】
尚、上記特定時間帯の間は、オートドア動作を逐次集合玄関機１の通話部１５を介してアナウンスし、来訪者に通知しても良い。たとえば、人感センサ６が人物を検出した段階では「顔をカメラに向けてください」、その後「ドアは自動で開きます」等のメッセージを出すことができる。
また、人感センサ６は制御機４に接続されているが、最も近い集合玄関機１に接続しても良いし、来訪者判別用カメラ７は集合玄関機１に設けられているカメラ１１を兼用しても良い。この場合、来訪者に対して「顔を此方に向けてください」等のアナウンスをさせることでスムーズに判別可能な顔映像を撮像できる。
【００２２】
また、録画メモリ３４に録画する際、制御機ＣＰＵ３５の制御により映像に日時情報が付加されて記憶され、別途機器操作により閲覧が可能となっている。但し、閲覧は閲覧許可用のＩＤの入力が必要であり、ここでは管理室親機３のみ閲覧が可能に設定され、制御機ＣＰＵ３５は閲覧機器として管理室親機ＩＤが登録されている。
閲覧する場合は、管理室親機３の操作部２３を操作することで、図示しない操作部２３であるタッチパネルに来訪者閲覧操作手段としての閲覧ボタン（図１に示す）２９を表示させる。そして、この閲覧ボタン２９をタッチ操作すると、管理室親機ＩＤが付加された許可ＩＤ情報が制御機４に送信され、制御機ＣＰＵ３５はそのＩＤ情報を認識して一致を確認したら録画されている映像情報を送信する。管理室親機３はこの映像信号を受けて、通常は集合玄関機１のカメラ１１の撮像映像を出画するモニタ２１に、録画した特定時間帯の来訪者映像を出画し、操作者は来訪者映像を閲覧することができる。
更に、この映像を閲覧したときには、制御機ＣＰＵ３５の制御により、閲覧情報（閲覧日時と閲覧端末名）が各居室親機２，２・・に送信され、居室親機２で閲覧情報が表示可能となっている。尚、この取得した映像は、別途、記憶媒体にダウンロードして持ち運ぶことも可能である。
【００２３】
こうして、特定の時間帯には居住者を呼び出すことなく来訪者がオートドアから集合住宅内に入ることができるよう設定しても、来訪者は録画されるので後から来訪者をチェックできる。よって、来訪者に対して利便性を維持したままセキュリティ性を持たせることができる。
また、オートドアを通過した人物の顔がもれなく録画されるので録画映像から顔を識別でき、防犯に有効であるし、来訪者がいるにも拘わらず来訪者を録画できない場合は管理人を呼び出すので、来訪者が集合住宅内に入るのに手間取るようなことがない。
更に、特定の時間帯に訪問した人を特定の機器でのみ確認することができるので、集合住宅内で不審者による犯罪などの問題が生じた場合等に人物の特定に対応できるし、閲覧できる機器を限定することで、プライバシーの保護を図ることができる。
また、閲覧した日時を各居室親機に通知するので、管理人などがむやみに確認しないように監視することができる。
【００２４】
尚、上記実施形態では、管理室親機３のみ閲覧を可能としているが、特定の居室親機２で閲覧可能としても良く、この閲覧可能機器の変更は制御機４が許可する許可ＩＤ情報を変更するだけで良く容易に実施できる。
また、制御機４が記憶する許可ＩＤ情報を閲覧機器のＩＤ情報ではなく、閲覧者のＩＤ情報に変更しても良く、この場合、機器ではなく閲覧者を限定することができ、管理人や管理組合の会長等認証された特定の人のみしか閲覧できないようにしてもよい。例えば、管理室親機３から閲覧者のＩＤ番号を入力し、制御機ＣＰＵ３５が認証したら管理室親機３から閲覧が可能となり、タッチパネルに表示される閲覧ボタンをタッチ操作すれば閲覧できる。この場合、管理人や管理組合の会長等認証された特定の人のみしか閲覧ができないので、録画映像の管理を明確にできプライバシーの保護を図ることができる。
【図面の簡単な説明】
【００２５】
【図１】本発明に係る集合住宅インターホンシステムの実施形態の一例を示す構成図である。
【図２】集合玄関機の回路ブロック図である。
【図３】居室親機の回路ブロック図である。
【図４】制御機の回路ブロック図である。
【符号の説明】
【００２６】
１・・集合玄関機、２・・居室親機、３・・管理室親機（来訪者モニタ手段）、４・・制御機、５・・オートドア、６・・人感センサ（人物検知手段）、７・・来訪者判別用カメラ（監視カメラ）、１１・・カメラ、１８・・顔識別部（人識別手段）、１９・・集合玄関機ＣＰＵ、２１・・モニタ、２３・・操作部、２６・・居室親機ＣＰＵ、２９・・閲覧ボタン（来訪者閲覧操作手段）、３４・・録画メモリ（映像保存手段）、３５・・制御機ＣＰＵ（映像・電気錠制御手段、通知制御手段、閲覧者認証手段）。
【図１】
2008208656.tif 000003
【図２】
2008208656.tif 000004
【図３】
2008208656.tif 000005
【図４】
2008208656.tif 000006